(57)【要約】【課題】作業箇所にかかわらず墨出し器本体の水準調整を容易に行うようにすること。【解決手段】移動部材１２を本体側に縮めてノブボルト１２で固定し使用する。３本の脚よりも小さい据付面１８に据付けする場合は移動部材１２を本体外側に伸ばしてノブボルト１２で固定し、据付部材１７の下面を据付面１８に載置させ、３個のボルト１４を正逆回転させ水準を調整し使用する。【選択図】図１
2010276528.tif 000002
【特許請求の範囲】
【請求項１】
半導体レーザーを用い、レンズを介して垂直ライン、水平ラインを照射するレーザー墨出し器であって、該墨出し器は下部にそれぞれ上下伸縮可能にした３本の脚部を備え、据付面に設置可能としたレーザー墨出し器において、墨出し器の下部の３本の脚部内側の中央部に、三脚への取付用のネジ穴を有した水準調整機構を備え、かつ３本の脚部先端に対し、上下方向に移動可能にする案内部を形成し、案内部には移動側が最下位で保持する保持部を形成するとともに、任意高さで係止できる係止ボルトを設けた補助据付台を設置したことを特徴とした墨出し器。
【発明の詳細な説明】
【技術分野】
【０００１】
本発明は、墨出し器の据付けと三脚上での水準調整、および水平ラインの上下調整に関する。
【背景技術】
【０００２】
従来の墨出し器は下部に３本の脚部を備え、３本の脚の出入れで水準調整を行っていた。また、三脚上の水準調整は、三脚の脚３本の出入れで行うか、墨出し器と三脚の間に別途水準器を取付け行っていた。また、墨出し器を据付面に設置した場合、水平ラインの調整が出来なかった。
【先行技術文献】
【特許文献】
【０００３】
【特許文献１】特開２００６−３１７３０１号公報
【発明の概要】
【発明が解決しようとする課題】
【０００４】
従来の技術で下部に３本の脚部を備えた墨出し器は、高機能の墨出し器など本体が比較的大きい場合、３本の脚部の取付ピッチが大きくなり、設置面が小さい場所に据付できない問題があった。また、三脚上の水準調整は、三脚の脚３本の出入れで行うか、墨出し器と三脚の間に別途水準器を取付け行っていた。また、墨出し器を据付面に設置した場合、水平ラインの上下調整が出来ない問題があった。発明が解決しようとする課題は、設置面が小さい場所にも据付けができ、且つ、三脚上でも水準調整ができ、且つ、水平ラインの上下調整ができる多種機能はたす墨出し器を提供することである。
【課題を解決するための手段】
【０００５】
墨出し器の下部の３本の脚部内側の中央部に、三脚への取付用のネジ穴を有した水準調整機構を備え、かつ３本の脚部先端に対し、上下方向に移動可能にする案内部を形成し、案内部には移動側が最下位で保持する保持部を形成するとともに、任意高さで係止できる係止ボルトを設けた補助据付台を設置したことで達成できる。
【発明の効果】
【０００６】
発明によれば墨出し器の下部の３本の脚部内側の中央部に、水準調整機構を備え、かつ３本の脚部先端に対し、上下方向に移動可能にする案内部を形成した補助据付台を設置したことで、補助据付を最下部に移動させた場合に３寸角木材などの３本の脚よりも小さい据付面に本体を設置可能となる。また案内部材には三脚への取付用のネジ穴を有するため、三脚に固定して三脚上での水準調整が可能となる。さらに任意高さで係止できる係止ボルトを設けたため水平ラインを上下移動させ調整し固定することが可能となる。また案内部には移動側が最下位で保持する保持部を形成しているので本体から脱離することなく常に墨出し器に装着された状態となり、紛失や落下、転倒を防止することができる。よって前記した多種機能はたす補助据付台を備えた墨出し器を提供することができる。
【図面の簡単な説明】
【０００７】
【図１】レーザ墨出し器の一実施形態を示す説明図。
【図２】レーザ墨出し器の一実施形態を示す説明図。
【図３】図１の背面図
【図４】図１のＡ-Ａ断面図。
【図５】図１のＢ-Ｂ断面図。
【図６】レーザ墨出し器の一実施形態を示す説明図。
【図７】従来構成の説明図。
【図８】墨出し器の説明図１。
【図９】墨出し器の説明図２。
【発明を実施するための形態】
【実施例１】
【０００８】
本発明の実施形態を図１〜９で説明する。図１〜６は本発明の実施形態を示す図であり、図８、図９は墨出し器の説明図である。
図において、レーザー墨出し器のライン照射機構部１は、電源ＳＷ２をＯＮにすると本体に内蔵した図示しない半導体レーザーからレーザービームが照射され、該レーザービームはレンズを介して水平レーザーライン３や垂直レーザーライン４に変換し外部に放出される。放出された水平レーザーライン３や垂直レーザーライン４は離れた壁等５に投影される。ライン照射機構部１の下方には墨出し器を設置する脚６ ３本を有し、該脚６はねじ７等で嵌合されそれぞれの脚６を正逆回転することにより本体を上下移動させることにより本体の水準調整を行う。
墨出し器下部の３本の脚内側には補助据付台８を設ける。補助据付台８の構成は本体下方に突出させ内径部９を設けた移動案内部材１０があって、該移動案内部材１０の内径部９に嵌合する外径１１を持つ移動部材１２が移動案内部材１０の内径９を案内に上下移動可能とし、移動案内部材１０の下側と移動部材１２の上側にはそれじれ第１凸部２０と第２凸部２１を設け、移動部材１２が下側に移動させると凸部２０，２１が接触し最下位に位置する。移動部材１２を適所の位置で固定するノブボルト１３を移動案内部材１０に設け移動部材１２をねじ込み固定する。移動部材下方には円柱状のフランジを要したボルト１４を３個適所にねじ込み、ボルト１４  ３箇所のフランジ部を収納可能とした収納部１５を有し、ボルト１４ねじ部を貫通する穴を有し、ボルト１４を保持し、中心部には三脚に固定するねじ穴１９を有した据付部材１７を設ける。３箇所のフランジ部の一部分を据付部材１７の外径よりも外周方向に突出させる。３個のボルト１４のフランジ部を正逆回転させることにより移動部材１２を上下移動させることにより本体の水準調整を行うことができる。
【０００９】
上記構成の墨出し器は通常作業として、図１に示すように移動部材１２を本体側に縮めてノブボルト１２で固定し使用する。３本の脚よりも小さい据付面１８に据付けする場合は図２に示すように移動部材１２を本体外側に伸ばしてノブボルト１２で固定し、据付部材１７の下面を据付面１８に載置させ、３個のボルト１４を正逆回転させ水準を調整し使用する。また、三脚１６に墨出し器を設置して使用する場合は、据付部材１７の三脚固定ねじ穴１９で三脚１６を連結固定し、３個のボルト１４を正逆回転させ水準を調整し使用する。
【００１０】
さらに、水平レーザーラインの上下方向の微小位置調整を行いたい場合は、ノブボルト１２を緩め、移動部材１２を上下移動させ、水平の基準に合わせた位置でノブボルト１２を固定し使用する。移動部材１２は凸部２０，２１が接触し最下位に位置するため、常に墨出し器に装着された状態となり、紛失や落下、転倒を防止することができる。
【符号の説明】
【００１１】
１：ライン照射機構部
２：電源ＳＷ
３：水平レーザーライン
４：垂直レーザーライン
５：壁等
６：脚
８：補助据付台
１０：移動案内部材
１２：移動部材
１３：ノブボルト
１４：ボルト
１６：三脚
１７：据付部材
１８：据付面
２０：第１凸部
２１：第２凸部
【図１】
2010276528.tif 000003
【図２】
2010276528.tif 000004
【図３】
2010276528.tif 000005
【図４】
2010276528.tif 000006
【図５】
2010276528.tif 000007
【図６】
2010276528.tif 000008
【図７】
2010276528.tif 000009
【図８】
2010276528.tif 000010
【図９】
2010276528.tif 000011